(57)【要約】      （修正有）【課題】複数の機能を有する多機能情報伝達体を提供する。【解決手段】多機能情報伝達体は、表側シート部材１０の内側に内側シート部材２０を備えている。表側シート部材１０は、第１表シート部１１、第２表シート部１２、第３表シート部１３、及び、第４表シート部１４が折部１５Ａ，１５Ｂ，１５Ｃを介して連接されている。内側シート部材２０は、第１内シート部２１、第２内シート部２２、第３内シート部２３、及び、第４内シート部２４が折部２５Ａ，２５Ｂ，２５Ｃを介して連接されている。表側シート部材１０は、切り込み１６Ａ，１６Ｂ，１６Ｃ，１６Ｄを組み合わせることにより、三角柱状に組み立てることができる。【選択図】図１
0003183125.tif 000002
【実用新案登録請求の範囲】
【請求項１】
表側シート部材と、その内側に設けられた内側シート部材とを備え、
前記表側シート部材は、第１表シート部、第２表シート部、第３表シート部、及び、第４表シート部が折部を介して連接して設けられ、前記第１表シート部に隣接する折部及び前記第４表シート部に隣接する折部は、前記第１表シート部及び前記第４表シート部が内側になるように折り曲げ可能であり、かつ、前記第２表シート部と前記第３表シート部の間の折部は、折り曲げた前記第１表シート部及び前記第４表シート部が内側になるように折り曲げ可能であり、
前記内側シート部材は、第１内シート部、第２内シート部、第３内シート部、及び、第４内シート部が折部を介して連接して設けられ、前記第１内シート部に隣接する折部及び前記第４内シート部に隣接する折部は、前記第１内シート部及び前記第４内シート部が内側になるように折り曲げ可能であり、かつ、前記第２内シート部と前記第３内シート部の間の折部は、折り曲げた前記第１内シート部及び前記第４内シート部が内側になるように折り曲げ可能であり、
前記第１内シート部及び前記第４内シート部の連接方向における端部は、折り曲げた状態において、前記第１表シート部及び前記第４表シート部よりも突出し、
前記第１表シート部及び前記第４表シート部には、対応する位置に、切り込みが入れられ、又は、切り込みを入れることが可能とされており、この切り込みを組み合わせることにより、前記表側シート部材は三角柱状に組み立てることが可能であり、
前記表側シート部材には、前記第１表シート部から前記第３表シート部にかけて、連接方向に沿って連続して切り取り可能な第１切取部と、前記第１表シート部の連接方向における端部に沿って、前記第１切取部と連続して切り取り可能な第２切取部とが設けられ、これらを切り取り、前記折部において折り曲げることにより、Ｔ字状の栞として利用可能である
ことを特徴とする多機能情報伝達部材。
【考案の詳細な説明】
【技術分野】
【０００１】
本考案は、複数の機能を有する情報伝達体に関する。
【背景技術】
【０００２】
結婚披露宴、法事、パーティー、又は、各種会合などでは、招待状や式次第などが出席者に配布され、出席者はそれらを持って会に参加することが多い。これらの会では、席札が用意されることもあるが、一般には、出席者に自分の着席位置がわかるようにすることを目的としたものが多い。出席者の名前が他の出席者に分かるように表示する席札もあるが、手間がかかり、面倒である。そこで、出席者に配布された招待状などを利用して簡単に席札を作ることができれば便利である。また、各種会合において、栞を挿みたい場合があるが、栞を持ち歩いていることは少なく、持ち合わせている招待状などを利用することができれば便利である。
【先行技術文献】
【特許文献】
【０００３】
【特許文献１】特開平１１−１５７２６０号公報
【考案の概要】
【考案が解決しようとする課題】
【０００４】
本考案は、このような問題に基づきなされたものであり、複数の機能を有する多機能情報伝達体を提供することを目的とする。
【０００５】
なお、特許文献１には、折り畳み可能に構成され、折り畳んだ内面にメッセージを記載することが可能な席札が記載されている。しかし、この席札は主催者が席の上において着席位置を示すものであり、出席者に予め配布するものではない。また、この席札は、立てて使用するものではなく、本願考案とは目的及び構成が異なっている。
【課題を解決するための手段】
【０００６】
本考案の多機能情報伝達体は、表側シート部材と、その内側に設けられた内側シート部材とを備え、表側シート部材は、第１表シート部、第２表シート部、第３表シート部、及び、第４表シート部が折部を介して連接して設けられ、第１表シート部に隣接する折部及び第４表シート部に隣接する折部は、第１表シート部及び第４表シート部が内側になるように折り曲げ可能であり、かつ、第２表シート部と第３表シート部の間の折部は、折り曲げた第１表シート部及び第４表シート部が内側になるように折り曲げ可能であり、内側シート部材は、第１内シート部、第２内シート部、第３内シート部、及び、第４内シート部が折部を介して連接して設けられ、第１内シート部に隣接する折部及び第４内シート部に隣接する折部は、第１内シート部及び第４内シート部が内側になるように折り曲げ可能であり、かつ、第２内シート部と第３内シート部の間の折部は、折り曲げた第１内シート部及び第４内シート部が内側になるように折り曲げ可能であり、第１内シート部及び第４内シート部の連接方向における端部は、折り曲げた状態において、第１表シート部及び第４表シート部よりも突出し、第１表シート部及び第４表シート部には、対応する位置に、切り込みが入れられ、又は、切り込みを入れることが可能とされており、この切り込みを組み合わせることにより、表側シート部材は三角柱状に組み立てることが可能であり、表側シート部材には、第１表シート部から第３表シート部にかけて、連接方向に沿って連続して切り取り可能な第１切取部と、第１表シート部の連接方向における端部に沿って、第１切取部と連続して切り取り可能な第２切取部とが設けられ、これらを切り取り、折部において折り曲げることにより、Ｔ字状の栞として利用可能なものである。
【考案の効果】
【０００７】
本考案の多機能情報伝達体によれば、表側シート部材に折部を設けると共に、切り込みを入れ、又は、切り込みを入れることを可能として、三角状に組み立てることができるようにしたので、折り畳んだ状態で案内状や式次第などとして使用することができると共に、組み立てた状態で席札などとして使用することができる。また、表側シート部材に第１切取部及び第２切取部を設けるようにしたので、これらを切り取り、折部において折り曲げることにより、Ｔ字状の栞として使用することができる。更に、第１内シート部及び第４内シート部の連接方向における端部が、折り曲げた状態において、第１表シート部及び第４表シート部よりも突出するようにしたので、第１内シート部及び第４内シート部の端部の色を調節したり、模様を付したりすることにより、真ん中の折部を広げた時の見た目を美しくすることができる。
【図面の簡単な説明】
【０００８】
【図１】本考案の一実施の形態に係る多機能情報伝達体の構成を分解して表す図である。
【図２】図１に示した多機能情報伝達体の一部を折り畳んだ状態を表す図である。
【図３】図１に示した多機能情報伝達体を三角柱状に組み立てた状態を表す図である。
【図４】図１に示した多機能情報伝達体の一部を切り取り、折り曲げた状態を表す図である。
【考案を実施するための形態】
【０００９】
以下、本考案の実施の形態について図面を参照して詳細に説明する。
【００１０】
図１は、本考案の一実施の形態に係る多機能情報伝達体１の構成を表すものであり、（Ａ）は表側シート部材１０を表側から見たものであり、（Ｂ）は内側シート部材２０を表側から見たものである。図２は、多機能情報伝達体１の一部を折り畳んだ状態を表すものである。図３は、表側シート部材１０を三角柱状に組み立てた状態を表すものである。図４は、表側シート部材１０の一部を切り取り、折り曲げた状態を表すものである。この多機能情報伝達体１は、表側シート部材１０と、その内側に設けられた内側シート部材２０とを備えている。表側シート部材１０及び内側シート部材２０は、例えば、それぞれ矩形状の紙よりなり、Ｂ４程度の大きさであることが好ましい。
【００１１】
表側シート部材１０は、第１表シート部１１、第２表シート部１２、第３表シート部１３、及び、第４表シート部１４が折部１５Ａ，１５Ｂ，１５Ｃを介して連接して設けられている。第１表シート部１１に隣接する折部１５Ａ、及び、第４表シート部１４に隣接する折部１５Ｃは、第１表シート部１１及び第４表シート部１４が内側になるように折り曲げ可能とされている。第２表シート部１２と第３表シート部１３の間の折部１５Ｂは、折り曲げた第１表シート部１１及び第４表シート部１４が内側になるように折り曲げ可能とされている。
【００１２】
内側シート部材２０は、第１内シート部２１、第２内シート部２２、第３内シート部２３、及び、第４内シート部２４が折部２５Ａ，２５Ｂ，２５Ｃを介して連接して設けられている。第１内シート部２１に隣接する折部２５Ａ、及び、第４内シート部２４に隣接する折部２５Ｃは、第１内シート部２１及び第４内シート部２４が内側になるように折り曲げ可能とされている。第２内シート部２２と第３内シート部２３の間の折部１５Ｂは、折り曲げた第１内シート部２１及び第４内シート部２４が内側になるように折り曲げ可能とされている。
【００１３】
表側シート部材１０の第１表シート部１１、第２表シート部１２、第３表シート部１３、第４表シート部１４、及び、折部１５Ａ，１５Ｂ，１５Ｃと、内側シート部材２０の第１内シート部２１、第２内シート部２２、第３内シート部２３、第４内シート部２４、及び、折部２５Ａ，２５Ｂ，２５Ｃとは、それぞれ対応して設けられていることが好ましい。第１内シート部２１及び第４内シート部２４の連接方向における端部は、折り曲げた状態において、第１表シート部１１及び第４表シート部１４よりも突出するように構成されている。第１内シート部２１及び第４内シート部２４の端部の色を調節したり、模様を付したりすることにより、真ん中の折部１５Ｂ，２５Ｂを広げた時の見た目を美しくすることができるからである。
【００１４】
また、表側シート部材１０は、第１表シート部１１及び第４表シート部１４の対応する位置に切り込み１６Ａ，１６Ｂ，１６Ｃ，１６Ｄが入れられており、この切り込み１６Ａ，１６Ｂ，１６Ｃ，１６Ｄを組み合わせることにより、三角柱状に組み立てることが可能とされている。なお、切り込みに変えて、ミシン目などにより切り込みを入れることが可能とされていてもよい。具体的には、第１表シート部１１には、例えば、連接方向の端部近傍に、上から下に向かい直線状の切り込み１６Ａが設けられると共に、下側において連接方向の端部から第２表シート部１２に向かい直線状の切り込み１６Ｂが設けられている。第４表シート部１４には、例えば、上側において連接方向の端部から逆Ｔ字状の切り込み１６Ｃが設けられると共に、下側において連接方向の端部から第３表シート部１３に向かい直線状の切り込み１６Ｄが設けられている。なお、上下方向は、連接方向を横方向として表している。
【００１５】
このうち切り込み１６Ａと切り込み１６Ｃとが対応し、切り込み１６Ｂと切り込み１６Ｄとが対応している。切り込み１６Ａ，１６Ｂ，１６Ｄの大きさは、１ｃｍから２ｃｍ程度が好ましく、切り込み１６Ｃの大きさは、Ｔ字の横棒部分が２ｃｍから４ｃｍ程度、縦棒部分が１ｃｍから２ｃｍ程度が好ましい。また、切り込み１６Ｂ，１６Ｄは、下から２．５ｃｍから４ｃｍ程度の位置に設けることが好ましい。表側シート部材１０をＢ４程度の大きさとした場合に、その程度の位置で折り曲げることにより、長形３号又は洋形長３号の封筒に入れることができるからである。また、例えば、切り込み１６Ｂ，１６Ｄを結ぶように、折線１６Ｅを設けるようにすれば、容易に折り曲げることができるので好ましい。
【００１６】
更に、表側シート部材１０には、第１表シート部１１から第３表シート部１３にかけて、上端の連接方向に沿って連続して切り取り可能な第１切取部１７Ａと、第１表シート部１１の連接方向における端部に沿って、第１切取部１７Ａと連続して切り取り可能な第２切取部１７Ｂとが設けられている。第１切取部１７Ａ及び第２切取部１７Ｂは、切り取って折部１５Ａ，１５Ｂにおいて折り曲げることにより、Ｔ字状の栞として利用可能となっている。第１切取部１７Ａ及び第２切取部１７Ｂは、例えば、ミシン目などにより切り取り可能とされている。第１切取部１７Ａ及び第２切取部１７Ｂには、例えば、模様や装飾がされていることが好ましく、切り取り線は直線状でもよいが、模様に沿って入れられていてもよい。第１切取部１７Ａの上端部及び第２切取部１７Ｂの連接方向の端部は、直線状に切断されていてもよいが、模様を形とるように切断されていてもよい。
【００１７】
第１切取部１７Ａの第３表シート部１３側の端部近傍には、切り込み１６Ａに対応する位置に、ミシン目などにより切り込みを入れることが可能とされた切込可能部１８が形成されていることが好ましい。切り込み１６Ａと組み合わせることにより、Ｔ字状の栞を形成することができるからである。切込可能部１８は、例えば、第１切取部１７Ａの下から上に向かい直線状に設けられており、大きさは１ｃｍから２ｃｍ程度が好ましい。第２切取部１７Ｂには、例えば、一部が切り込みにより切り離された、又は、ミシン目などにより切り離し可能とされた挟み込み部１９が形成されていることが好ましい。栞として使用する際に、挟み込んで用いることもできるからである。第１切取部１７Ａ及び第２切取部１７Ｂの幅は、例えば、１．５ｃｍから３ｃｍ程度が好ましい。
【００１８】
この多機能情報伝達体１は、例えば、表側シート部材１０の内側に内側シート部材２０を重ね、折部１５Ａ，１５Ｂ，１５Ｃ，２５Ａ，２５Ｂ，２５Ｃで折り曲げて使用する。表側シート部材１０及び内側シート部材２０には、文字や絵などを自由に記載することができ、招待状、案内状、式次第、メッセージカードなどとして使用することが可能である。また、表側シート部材１０は、切り込み１６Ａ，１６Ｂ，１６Ｃ，１６Ｄを組み合わせることにより、三角柱状に組み立てて用いることもできる。これにより、席札などとして使用することもできる。更に、第１切取部１７Ａ及び第２切取部１７Ｂを切り取れば、栞として利用することもできる。
【００１９】
このように本実施の形態によれば、表側シート部材１０に折部１５Ａ，１５Ｂ，１５Ｃを設けると共に、切り込み１６Ａ，１６Ｂ，１６Ｃ，１６Ｄを入れ、又は、切り込みを入れることを可能として、三角状に組み立てることができるようにしたので、折り畳んだ状態で案内状や式次第などとして使用することができると共に、組み立てた状態で席札などとして使用することができる。また、表側シート部材１０に第１切取部１７Ａ及び第２切取部１７Ｂを設けるようにしたので、これらを切り取り、折部１５Ａ，１５Ｂにおいて折り曲げることにより、Ｔ字状の栞として使用することができる。更に、第１内シート部２１及び第４内シート部２４の連接方向における端部が、折り曲げた状態において、第１表シート部１１及び第４表シート部１４よりも突出するようにしたので、第１内シート部２１及び第４内シート部２４の端部の色を調節したり、模様を付したりすることにより、真ん中の折部１５Ｂ，２５Ｂを広げた時の見た目を美しくすることができる。
【００２０】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２１】
席札や栞の機能を備えた案内状などに用いることができる。
【符号の説明】
【００２２】
１…多機能情報伝達体、１０…表側シート部材、１１…第１表シート部、１２…第２表シート部、１３…第３表シート部、１４…第４表シート部、１５Ａ，１５Ｂ，１５Ｃ…折部、１６Ａ，１６Ｂ，１６Ｃ，１６Ｄ…切り込み、１７Ａ…第１切取部、１７Ｂ…第２切取部、１８…切込可能部、１９…挟み込み部、２０…内側シート部材、２１…第１内シート部、２２…第２内シート部、２３…第３内シート部、２４…第４内シート部、２５Ａ，２５Ｂ，２５Ｃ…折部
【図１】
0003183125.tif 000003
【図２】
0003183125.tif 000004
【図３】
0003183125.tif 000005
【図４】
0003183125.tif 000006